(57)【要約】【課題】複雑な制御を要せずに、省電力を図ることが出来る光ディスク装置内蔵機器を提供する。【解決手段】電源部がスタンバイ状態であり、光ディスクが収容されている場合、第１発光部と第２発光部は、発光を停止し、光ディスクが収容されていない場合、第１発光部は発光し、第２発光部は発光を停止する。また、電源部がＯＮ状態であり、光ディスクが収容されていない場合、第１発光部は発光し、第２発光部は発光を停止し、光ディスクが収容されており、通常動作時である場合、第１発光部と第２発光部は、発光を停止し、光ディスクが収容されており、排出制御動作時である場合、第１発光部は発光を停止し、第２発光部は発光する。【選択図】図７
2010108527.tif 000002
【特許請求の範囲】
【請求項１】
機器に内蔵され、光ディスクに対して記録および／または再生を行う光ディスク装置と、
前記光ディスク装置にスロットイン方式で挿入される光ディスクを検知するための検知用センサと、
前記光ディスク装置に収容されている光ディスクを排出制御するための排出制御用センサと、
前記機器および前記光ディスク装置の各部に電力を供給する電源部と、
を備えた光ディスク装置内蔵機器において、
前記検知用センサと前記排出制御用センサを制御するための制御手段を設け、
前記制御手段は、前記電源部がスタンバイ状態である場合は、前記検知用センサと前記排出制御用センサにより、前記光ディスク装置内に前記光ディスクが収容されているか否かを検証し、当該検証の結果、光ディスクが収容されている場合は、前記検知用センサおよび前記排出制御用センサを動作不能とすることを特徴とする光ディスク装置内蔵機器。
【請求項２】
請求項１に記載の光ディスク装置内蔵機器において、
前記制御手段は、前記光ディスク装置内に前記光ディスクが収容されていない場合は、前記検知用センサを動作可能とし、前記排出制御用センサを動作不能とすることを特徴とする光ディスク装置内蔵機器。
【請求項３】
請求項１に記載の光ディスク装置内蔵機器において、
前記制御手段は、前記電源部がオン状態である場合は、前記検知用センサと前記排出制御用センサにより、前記光ディスク装置内に前記光ディスクが収容されているか否かを検証し、当該検証の結果、光ディスクが収容されている場合であり、かつ、前記光ディスク装置において、前記光ディスクの排出動作が実行されていない場合は、前記検知用センサおよび前記排出制御用センサを動作不能とすることを特徴とする光ディスク装置内蔵機器。
【請求項４】
請求項３に記載の光ディスク装置内蔵機器において、
前記制御手段は、前記光ディスク装置内に前記光ディスクが収容されている場合であり、かつ、前記光ディスク装置において、前記光ディスクの排出動作が実行されている場合は、前記検知用センサを動作不能とし、前記排出制御用センサを動作可能とすることを特徴とする光ディスク装置内蔵機器。
【請求項５】
請求項３に記載の光ディスク装置内蔵機器において、
前記制御手段は、前記光ディスク装置内に光ディスクが収容されていない場合は、前記検知用センサを動作可能とし、前記排出制御用センサを動作不能とすることを特徴とする光ディスク装置内蔵機器。
【請求項６】
請求項１に記載の光ディスク装置内蔵機器において、
前記検知用センサは、前記光ディスク装置内部において、前記光ディスクの挿入方向に対して、前記排出制御用センサよりも手前に配置されていることを特徴とする光ディスク装置内蔵機器。
【発明の詳細な説明】
【技術分野】
【０００１】
本発明は、スロットイン方式の光ディスク装置を内蔵した機器に関する。
【背景技術】
【０００２】
従来より、ＣＤ（Compact Disc）や、ＤＶＤ（Digital Versatile Disc）、ＢＤ（Blu-ray Disc；登録商標）等の光ディスクを内部にローディングして、当該光ディスクに対して記録／再生を行う光ディスク装置が知られている。
【０００３】
例えば、後掲の特許文献１には、ディスクの搬送路に配置された複数の光センサを制御し、この複数の光センサから所定周期毎に得られる受光信号のパターンに基づいて搬送路上の物体を検知するディスク検知装置が記載されている。
【０００４】
また、後掲の特許文献２には、スロットイン方式のＤＶＤドライブを備えたテレビジョンが記載されており、当該テレビジョンは、複数の赤外線ＬＥＤ（Light Emitting Diode）の発光タイミングを制御し、当該複数の発光タイミングの組み合わせにより、節電設定と通常設定とを選択実行可能なマイコンを備えている。
【０００５】
そして、当該マイコンにおける設定が、節電設定であり、かつ、テレビジョンの電源がオンの時は、赤外線ＬＥＤを常時発光させる。また、節電設定であり、かつ、テレビジョンの電源がスタンバイの時は、まず一定の時間間隔を置いて赤外線ＬＥＤを間歇的に発光させた後、徐々に赤外線ＬＥＤの発光間隔を長くして間歇的に発光させ、さらに所定の時間経過後に赤外線ＬＥＤの発光を停止させる。また、節電設定であり、かつ、ディスクがＤＶＤドライブに挿入されている間は、赤外線ＬＥＤの発光を停止させる。
【０００６】
一方、当該マイコンにおける設定が、通常設定であり、かつ、テレビジョンの電源がオンの時は、赤外線ＬＥＤを常時発光させる。また、通常設定であり、かつ、テレビジョンの電源がスタンバイの時は、常に所定の時間間隔を置いて赤外線ＬＥＤを間歇的に発光させる。また、通常設定であり、かつ、ディスクがＤＶＤドライブに挿入されている間は、赤外線ＬＥＤの発光を停止させる。
【０００７】
このように、一般的なスロットイン方式の光ディスク装置では、発光部（例えば、赤外線ＬＥＤ）から光を出射し、受光部（例えば、フォトトランジスタ）にて、発光部から出射された光が受光されたか否かを検知することにより、光ディスクの挿入検知／排出制御動作を行っている。
【０００８】
【特許文献１】特開２００５−２５１３２９号公報
【特許文献２】特開２００７−１４１４１３号公報
【発明の開示】
【発明が解決しようとする課題】
【０００９】
しかしながら、上述した一般的なスロットイン方式の光ディスク装置では、光ディスクの挿入を検知するために、待機中（スタンバイ時）においても、発光部（例えば、赤外線ＬＥＤ）を点灯させておく必要があるため、省電力の妨げとなっている。
【００１０】
ここで、上述した特許文献１に記載のディスク検知装置においては、省電力を可能とする手段は開示されていない。
【００１１】
また、上述した特許文献２に記載のスロットイン方式のＤＶＤドライブを備えたテレビジョンでは、一定の時間間隔を置いて徐々に赤外線ＬＥＤの発光間隔を長くし、また、所定の時間経過後に赤外線ＬＥＤの発光を停止させる等の赤外線ＬＥＤの発光間隔をコントロールするため、制御処理が複雑となり、また、赤外線ＬＥＤの発光停止までに所定の時間を要するため、省電力の効果が十分ではない。
【００１２】
本発明は、上述した問題点に鑑み、複雑な制御を要せずに、省電力を図ることが出来る光ディスク装置内蔵機器を提供することを目的としている。
【課題を解決するための手段】
【００１３】
本発明に係るスロットイン方式光ディスク装置内蔵機器は、機器に内蔵され、光ディスクに対して記録および／または再生を行う光ディスク装置と、光ディスク装置にスロットイン方式で挿入される光ディスクを検知するための検知用センサと、光ディスク装置に収容されている光ディスクを排出制御するための排出制御用センサと、機器および光ディスク装置の各部に電力を供給する電源部とを備えており、検知用センサと排出制御用センサを制御するための制御手段を設けている。そして、制御手段は、電源部がスタンバイ状態である場合は、検知用センサと排出制御用センサにより、光ディスク装置内に光ディスクが収容されているか否かを検証し、当該検証の結果、光ディスクが収容されている場合は、検知用センサおよび排出制御用センサを動作不能とする。
【００１４】
また、本発明のスロットイン方式光ディスク装置内蔵機器において、光ディスク装置内に前記光ディスクが収容されていない場合は、検知用センサを動作可能とし、排出制御用センサを動作不能としてもよい。
【００１５】
また、本発明のスロットイン方式光ディスク装置内蔵機器において、電源部がオン状態である場合は、検知用センサと排出制御用センサにより、光ディスク装置内に光ディスクが収容されているか否かを検証し、当該検証の結果、光ディスクが収容されている場合であり、かつ、光ディスク装置において、光ディスクの排出動作が実行されていない場合は、検知用センサおよび排出制御用センサを動作不能としてもよい。
【００１６】
また、本発明のスロットイン方式光ディスク装置内蔵機器において、光ディスク装置内に光ディスクが収容されている場合であり、かつ、光ディスク装置において、光ディスクの排出動作が実行されている場合は、検知用センサを動作不能とし、排出制御用センサを動作可能としてもよい。
【００１７】
また、本発明のスロットイン方式光ディスク装置内蔵機器において、光ディスク装置内に光ディスクが収容されていない場合は、検知用センサを動作可能とし、排出制御用センサを動作不能としてもよい。
【００１８】
以上のようにすることで、検知用センサおよび排出制御用センサが、必要以上に動作することを防止出来るため、省電力を図ることが出来る。
【００１９】
本発明の光ディスク装置内蔵機器において、検知用センサを、光ディスク装置内部において、光ディスクの挿入方向に対して、排出制御用センサよりも手前に配置してもよい。
【００２０】
このようにすることで、検知用センサと排出制御用センサの動作時において、動作干渉が生じることを抑制することが出来る。
【発明の効果】
【００２１】
本発明によれば、電源部がスタンバイ状態であって、光ディスクが収容されている場合は、検知用センサおよび排出制御用センサを動作不能とすることにより、各センサが必要以上に動作することを防止出来るため、省電力を図ることが出来る。
【発明を実施するための最良の形態】
【００２２】
以下、本発明の実施形態につき、図面を参照しながら説明する。
尚、図１〜３，図６において、同一部分または対応する部分には、同一符号を付してある。
【００２３】
図１は、本発明に係る光ディスク装置内蔵型機器の一実施形態であるＢＤ（Blu-ray Disc；登録商標）ドライブ内蔵型テレビジョン受像機の外観を示した図である。
【００２４】
図中において、１００は、上述したＢＤドライブ内蔵型テレビジョン受像機（以下、単に「テレビ」と記載）、１０は、テレビ１００の本体部、１１は、テレビ１００のキャビネット部、１２は、テレビ１００の脚部、２５は、テレビ１００の表示部、２８は、テレビ１００の音声出力部、５０は、ＢＤドライブ、５７は、ＢＤドライブ５０内に収容された光ディスク（図示省略）を排出するための排出操作部、６３は、ＢＤドライブ５０における光ディスクの挿入口である。尚、図中の矢印Ａ，Ｂについては後述する。
【００２５】
本体部１０は、キャビネット部１１の背後に位置するため、本図中においては、点線で示している。キャビネット部１１は、表示部２５の表示面が前面に露出するように、当該表示部２５を保持する。表示部２５は、例えば、ＬＣＤ（Liquid Crystal Display）から構成される表示パネルである。脚部１２は、テレビ１００が傾倒しないように、キャビネット部１１を支持する。音声出力部２８は、キャビネット部１１の前面に設けられており、例えば、スピーカから成る。
【００２６】
ＢＤドライブ５０は、テレビ１００に内蔵されており、当該ＢＤドライブ５０の一部は、キャビネット部１１の前面に露出している。また、ＢＤドライブ５０は、各種ＢＤ（例えば、ＢＤ−ＲやＢＤ−ＲＥ等）、各種ＤＶＤ（例えば、ＤＶＤ＋ＲやＤＶＤ−ＲＷ）、各種ＣＤ（例えば、ＣＤ−ＲやＣＤ−ＲＯＭ等）の記録／再生が可能な構成となっている。挿入口６３は、所謂、スロットイン方式のディスク挿入口であり、外部から光ディスクを挿入することが出来る。
【００２７】
図２は、上述したテレビ１００（図１）の本体部１０を機能的に図示した機能ブロック図である。
【００２８】
本図中において、１０ａは、主として本体部１０の制御を行う本体ブロック（以下、「ＴＶブロック」と記載）であり、１０ｂは、主としてＢＤドライブ５０（図１）の制御を行うＢＤブロックである。本体部１０は、ＴＶブロック１０ａとＢＤブロック１０ｂから構成されている。また、ＢＤブロック１０ｂは、詳しくは、ＢＤドライブ５０の機能ブロックである。
【００２９】
ＴＶブロック１０ａにおいて、第１制御部２１は、ＣＰＵ（Central Processing Unit）から成り、ＴＶブロック１０ａの各部およびＢＤブロック１０ｂの一部を統括して制御する。ここで、第１制御部２１は、本発明における制御手段の一実施形態を構成する。
【００３０】
チューナ２２は、アンテナ７１を介してテレビジョン放送の放送電波を選局し、放送信号として受信する。信号処理部２３は、チューナ２２で受信した放送信号を映像信号や音声信号等に復調する。
【００３１】
表示部駆動回路２４は、表示部２５の表示面に映像を表示させるために、当該表示部２５を駆動させる。表示部２５は、例えば、ＬＣＤから成る表示パネルであり、信号処理部２３で復調された映像信号を入力し、当該映像信号に基づく映像を表示面に表示させる。
【００３２】
バックライト部２６は、例えば、ＣＣＦＬ（Cold  Cathode  Fluorescent Lamp）から成り、表示部２５の表示面と反対の面（背面）から、当該表示部２５に光を照射する光源である。インバータ回路２７は、後述の電源部２９から供給される電力に基づいて、バックライト部２６の点灯／消灯や照射光量等を制御する。
【００３３】
音声出力部２８は、上述したように、例えば、スピーカから成り、信号処理部２３で復調された音声信号を入力し、当該音声信号に基づく音声を出力する。電源部２９は、例えば、ＡＣ（Alternating Current）電源回路等から成り、本体部１０の各部に電力を供給する。
【００３４】
記憶部３０は、例えば、ＥＥＰＲＯＭ（Electronically  Erasable and Programmable  Read Only  Memory）から成り、テレビ１００の初期設定情報や、本体部１０において各種プログラムを実行するためのソフトウェア等が予め記憶されている。
【００３５】
ＢＤブロック１０ｂにおいて、第２制御部５１は、ＣＰＵから成り、ＢＤブロック１０ｂの各部を統括して制御する。尚、当該ＢＤブロック１０ｂにおいて、第２制御部５１で制御されない一部の要素については、後述する。ここで、第２制御部５１は、第１制御部２１と共に、本発明における制御手段の一実施形態を構成する。
【００３６】
スピンドルモータ５２は、ＢＤドライブ５０の内部に収容された光ディスク（例えば、ＢＤ−Ｒ）を記録／再生のために回転させる。ローディングモータ５３は、挿入口６３（図１）から挿入された光ディスクを、ＢＤドライブ５０内部へ搬入し、また、ＢＤドライブ５０外部へ排出するためのモータである。
【００３７】
５４は、挿入口６３から挿入された光ディスクを検知するための検知用センサであり、５５は、ＢＤドライブ５０の内部に収容されている光ディスクを排出するための排出制御用センサである。
【００３８】
検知用センサ５４は、第１発光部５４ａと第１受光部５４ｂから構成されており、第１発光部５４ａは、例えば、赤外線ＬＥＤ等から成り、第１受光部５４ｂは、例えば、フォトトランジスタ等から成る。尚、第１発光部５４ａは、第１制御部２１により制御され、第１受光部５４ｂは、第２制御部５１により制御される。
【００３９】
排出制御用センサ５５は、第２発光部５５ａと第２受光部５５ｂから構成されており、第２発光部５５ａは、例えば、赤外線ＬＥＤ等から成り、第２受光部５５ｂは、例えば、フォトトランジスタ等から成る。尚、第２発光部５５ａは、第１制御部２１により制御され、第２受光部５５ｂは、第２制御部５１により制御される。
【００４０】
光ピックアップ５６は、例えば、７８０〔ｎｍ〕／６５０〔ｎｍ〕の赤色レーザ光や、４０５〔ｎｍ〕の青色レーザ光を、ＢＤドライブ５０の内部に収容された光ディスクの種類に応じて、当該光ディスクのディスク面上に出射し、当該光ディスクにデータの記録を行う。
【００４１】
また、光ディスクのディスク面上にレーザ光を出射した後、当該ディスク面上で反射した反射光を読み取ることにより、光ディスクに記録されているデータの再生を行う。
【００４２】
排出操作部５７は、例えば、押圧式のボタン装置から成り、上述したように、当該排出操作部５７が操作されることにより、ＢＤドライブ５０の内部に収容されている光ディスクが、挿入口６３から外部へ排出される。
【００４３】
上述したスピンドルモータ５２、第１発光部５４ａ、第１受光部５４ｂ、第２発光部５５ａ、第２受光部５５ｂ、光ピックアップ５６は、詳しくは、図３に示すような状態で、ＢＤドライブ５０内に配置されている。
【００４４】
ここで、図３の（ａ），（ｃ）は、光ディスク２００の挿入方向（図中のｐ方向）と略垂直な方向（図１中のＡ方向）から見た場合のＢＤドライブ５０の断面図であり、図３の（ｂ）は、光ディスク１００の挿入方向（図中のｐ方向）と略垂直な方向（図１中のＢ方向）から見た場合のＢＤドライブ５０の断面図である。
【００４５】
図３の（ａ）において、挿入口６３に最も近い位置であり、当該挿入口６３に対して下側の位置には、第１発光部５４ａが配置されており、当該第１発光部５４ａは、ＢＤドライブ５０内に固定された基部６１に取り付けられている。
【００４６】
第１発光部５４ａと対向する位置、つまり、挿入口６３に最も近い位置であり、当該挿入口６３に対して上側の位置には、導光部６２ａが配置されており、当該導光部６２ａも基部６１に取り付けられている。ここで、導光部６２ａは、第１発光部５４ａから出射された光を第１受光部５４ｂ（図２）に導くための部材であり、例えば、プリズムやミラー等から成る。
【００４７】
第１発光部５４ａの左（ｐ方向）隣には、ローディングローラ５３ａが配置されており、導光部６２ａの左（ｐ方向）隣にも、同様のローディングローラ５３ａが配置されている。これら２つのローディングローラ５３ａは、光ディスク２００の厚み程度の間隔をおいて、対向した位置にそれぞれ配置されており、ローディングモータ５３（図２）によって駆動され回転する。また、それらの間隔が、挿入口６３のｐ方向の延長上に位置するように、一方のローディングローラ５３ａは、挿入口６３に対して下側の基部６１に取り付けられ、他方のローディングローラ５３ａは、挿入口６３に対して上側の基部６１に取り付けられている。
【００４８】
下側の基部６１において、ローディングローラ５３ａの左（ｐ方向）隣には、第２発光部５５ａが配置されており、当該第２発光部５５ａは、基部６１に取り付けられている。
【００４９】
上側の基部６１において、ローディングローラ５３ａの左（ｐ方向）隣には、導光部６２ｂが配置されており、当該導光部６２ｂは、基部６１に取り付けられている。
【００５０】
ここで、導光部６２ｂは、第２発光部５５ａから出射された光を第２受光部５５ｂ（図２）に導くための部材であり、例えば、プリズムやミラー等から成る。また、第２発光部５５ａ，導光部６２ｂは、上述の第１発光部５４ａ，導光部６２ａと同様に、対向する位置に配置されている。
【００５１】
第２発光部５５ａの左（ｐ方向）には、スピンドルモータ５２が配置されており、当該スピンドルモータ５２は、下側の基部６１に取り付けられている。スピンドルモータ５２の左（ｐ方向）隣には、光ピックアップ５６が配置されており、当該光ピックアップ５６は、図中のｐ，ｑ方向に水平移動可能な状態で、下側の基部６１に取り付けられている。
【００５２】
また、第１発光部５４ａと対向する位置であり、ｐ，ｑ方向と直交する方向（図１のＡ方向）の位置には、第１受光部５４ｂが配置されており、詳しくは、図３の（ｂ）に示すような状態で、下側の基部６１に取り付けられている。
【００５３】
さらに、第２発光部５５ａと対向する位置であり、ｐ，ｑ方向と直交する方向（図１のＡ方向）の位置には、第２受光部５５ｂが配置されており、詳しくは、図３の（ｂ）に示すような状態で、下側の基部６１に取り付けられている。
【００５４】
上記構成のＢＤドライブ５０では、ＢＤドライブ５０の内部に光ディスク２００が収容されていない場合、第１発光部５４ａから出射された光は、導光部６２ａを介して、第１受光部５４ｂに入射し、第２発光部５５ａから出射された光は、導光部６２ｂを介して、第２受光部５５ｂに入射する。
【００５５】
ＢＤドライブ５０の内部に光ディスク２００が収容されている場合は、第１発光部５４ａから出射された光は、導光部６２ａを介して、第１受光部５４ｂに入射するが、第２発光部５５ａから出射された光は、光ディスク２００によって遮られてしまうため、導光部６２ｂを介して、第２受光部５５ｂに入射しない（図３の（ｃ）参照）。
【００５６】
ＢＤドライブ５０の内部に光ディスク２００が挿入された場合、または、ＢＤドライブ５０の内部から光ディスク２００を排出するための排出制御動作が完了した場合は、第１発光部５４ａから出射された光は、光ディスク２００によって遮られてしまうため、導光部６２ａを介して、第１受光部５４ｂに入射しないが、第２発光部５５ａから出射された光は、導光部６２ｂを介して、第２受光部５５ｂに入射する（図３の（ａ）参照）。
【００５７】
ＢＤドライブ５０の内部に光ディスク２００を搬入または排出している間は、第１発光部５４ａから出射された光および第２発光部５５ａから出射された光は、光ディスク２００によって遮られてしまうため、いずれの受光部（第１受光部５４ｂ，第２受光部５５ｂ）にも光は入射しない。
【００５８】
従って、第２制御部５１により、第１受光部５４ｂ，第２受光部５５ｂにおける受光の有無を検知することにより、ＢＤドライブ５０の内部における光ディスク２００の有無を判定することが出来る。
【００５９】
また、第１受光部５４ｂ，第２受光部５５ｂのそれぞれにおいて、受光有無の切り替わり、つまり、受光有りから受光無し、または、受光無しから受光有りに切り替わったことを検知することで、ＢＤドライブ５０の内部に光ディスク２００が挿入されたこと、または、ＢＤドライブ５０の内部から光ディスク２００を排出するための排出制御動作が完了したことを検知することが出来る。
【００６０】
次に、上記構成のテレビ１００（図１）における光ディスク２００（図３）の挿入検知方法および排出制御方法について、図４，図５のフローチャートを用いて説明する。尚、図４に示されるフローチャートは、光ディスク２００の挿入検知方法に係るフローチャートであり、図５に示されるフローチャートは、光ディスク２００の排出制御方法に係るフローチャートである。
【００６１】
まず、光ディスク２００の挿入検知方法について説明する。図４に示されるフローチャートのステップＳ１おいて、第１制御部２１（図２）の制御の下、電源部２９（図２）がスタンバイ状態であるか否かが検証され、当該検証の結果、スタンバイ状態である場合（ステップＳ１：ＹＥＳ）は、ステップＳ２へ進み、スタンバイ状態で無い場合（ステップＳ１：ＮＯ）は、ステップＳ９へ進む。
【００６２】
ステップＳ２では、ＢＤドライブ５０（図３）の内部に光ディスク２００が未収容である否かが、第１制御部２１により検証され、検証の結果、未収容である場合（ステップＳ２：ＹＥＳ）は、ステップＳ３へ進み、未収容でない場合（ステップＳ２：ＮＯ）は、本フローチャートを終了する。
【００６３】
詳しくは、ＢＤドライブ５０の内部に光ディスク２００が未収容の場合、上述したように、第１発光部５４ａ（図３）から出射された光が、導光部６２ａ（図３）を介して、第１受光部５４ｂ（図３）に入射し、第２発光部５５ａ（図３）から出射された光が、導光部６２ｂ（図３）を介して、第２受光部５５ｂ（図３）に入射していることが、第２制御部５１（図２）により検知される。
【００６４】
また、未収容でない場合、つまり、光ディスク２００が収容されている場合は、第１発光部５４ａから出射された光が、導光部６２ａを介して、第１受光部５４ｂに入射し、第２発光部５５ａから出射された光が、導光部６２ｂを介して、第２受光部５５ｂに入射していないことが、第２制御部５１により検知される。そして、当該検知結果に基づき、第１制御部２１は、光ディスク２００が未収容であるか否かを判定する。
【００６５】
ステップＳ３では、ステップＳ２での検証結果に基づき、第１制御部２１の制御の下、第１発光部５４ａが発光（発光状態：ＯＮ）し、第２発光部５５ａが発光停止（発光状態：ＯＦＦ）となる。
【００６６】
詳しくは、図６の回路図を用いて説明する。尚、図６に示す回路は、第１制御部２１と、第２制御部５１と、５つの電源Ｖ１〜Ｖ５と、１２個の抵抗Ｒ１〜Ｒ１２と、２つのスイッチングトランジスタＱ１，Ｑ２と、２つの赤外線ＬＥＤ（ＬＥＤ１，ＬＥＤ２）と、２つのフォトトランジスタＰＴ１，ＰＴ２とから構成されている。Ｇ１〜Ｇ４は、グランドである。
【００６７】
ステップＳ３では、第１発光部５４ａを発光（発光状態：ＯＮ）させるコントロール信号が、第１制御部２１から当該第１発光部５４ａに出力され、当該コントロール信号に基づき、第１発光部５４ａの一部を構成するスイッチングトランジスタＱ１が、ＯＮに切り替えられるため、同じく第１発光部５４ａの一部を構成するＬＥＤ１は、電源Ｖ２からの電力供給を受けて発光する。そして、ＬＥＤ１が出射した光は、フォトトランジスタＰＴ１で受光され、フォトトランジスタＰＴ１がＯＮとなる。これにより、検知用センサ５４（図２）がＯＮ状態となるため、ＢＤドライブ５０に挿入される光ディスク２００を検知するための環境が整う。
【００６８】
また、第２発光部５５ａを発光停止（発光状態：ＯＦＦ）させるコントロール信号が、第１制御部２１から当該第２発光部５５ａに出力され、当該コントロール信号に基づき、第２発光部５５ａの一部を構成するスイッチングトランジスタＱ２が、ＯＦＦに切り替えられるため、同じく第２発光部５５ａの一部を構成するＬＥＤ２は、電源Ｖ４からの電力供給停止により発光停止となる。
【００６９】
図４において、ステップＳ４では、ＢＤドライブ５０に光ディスク２００が挿入されたことが検知された場合（ステップＳ４：ＹＥＳ）は、ステップＳ５へ進み、検知されない場合（ステップＳ４：ＮＯ）は、本フローチャートを終了する。
【００７０】
詳しくは、ＢＤドライブ５０の内部に光ディスク２００が未収容の場合、上述したように、第１発光部５４ａから出射された光が、導光部６２ａを介して、第１受光部５４ｂに入射するが、ＢＤドライブ５０の内部に光ディスク２００が挿入された場合は、第１発光部５４ａから出射された光は、光ディスク２００によって遮られてしまうため、導光部６２ａを介して、第１受光部５４ｂに入射しない。よって、第２制御部５１によって、第１受光部５４ｂにおける受光有りから受光無しへの切り替わり、即ち、フォトトランジスタＰＴ１のＯＮからＯＦＦへの切り替わりが検知されることにより、ＢＤドライブ５０に光ディスク２００が挿入されたこと検知される。
【００７１】
ステップＳ５では、光ディスク２００の挿入検知に基づいて、第１制御部２１の制御の下、電源部２９が、スタンバイ状態からＯＮ状態に切り替えられる。
【００７２】
ステップＳ６では、電源部２９が、スタンバイ状態からＯＮ状態に切り替えられたことに基づいて、第２発光部５５ａの発光状態がＯＦＦからＯＮに切り替えられる。
【００７３】
詳しくは、図６の回路図を用いて説明する。ステップＳ６では、第２発光部５５ａを発光（発光状態：ＯＮ）させるコントロール信号が、第１制御部２１から当該第２発光部５５ａに出力され、当該コントロール信号に基づき、スイッチングトランジスタＱ２が、ＯＮに切り替えられるため、ＬＥＤ２は、電源Ｖ４からの電力供給を受けて発光する。そして、ＬＥＤ２が出射した光は、フォトトランジスタＰＴ２で受光され、フォトトランジスタＰＴ２がＯＮとなる。これにより、排出制御用センサ５５（図２）がＯＮ状態となるため、ディスク排出制御の環境が整う。
【００７４】
図４のステップＳ７では、光ディスク２００のチャッキングが完了したか否かが、第１制御部２１により検証され、当該検証の結果、完了している場合（ステップＳ７：ＹＥＳ）は、ステップＳ８へ進み、完了していない場合（ステップＳ７：ＮＯ）は、ステップＳ７を再度実行するために、本ステップの直前に戻る。
【００７５】
ステップＳ８では、ステップＳ７での検証結果に基づき、第１発光部５４ａの発光状態がＯＮからＯＦＦに切り替えられ、第２発光部５５ａの発光状態がＯＮからＯＦＦに切り替えられる。
【００７６】
詳しくは、図６の回路図を用いて説明する。ステップＳ８では、第１発光部５４ａ，第２発光部５５ａを発光停止（発光状態：ＯＦＦ）させるコントロール信号が、第１制御部２１から当該第１発光部５４ａ，第２発光部５５ａにそれぞれ出力され、当該コントロール信号に基づき、スイッチングトランジスタＱ１，Ｑ２が、ＯＦＦに切り替えられるため、ＬＥＤ１，ＬＥＤ２は、電源Ｖ２，Ｖ４からの電力供給停止により発光停止となる。これにより、フォトトランジスタＰＴ１，ＰＴ２もＯＦＦとなり、検知用センサ５４と排出制御用センサ５５は、いずれもＯＦＦ状態となる。
【００７７】
ステップＳ９では、第１制御部２１の制御の下、電源部２９がＯＮ状態であるか否かが検証され、当該検証の結果、ＯＮ状態である場合（ステップＳ９：ＹＥＳ）は、ステップＳ１０へ進み、ＯＮ状態で無い場合（ステップＳ９：ＮＯ）は、本フローチャートを終了する。
【００７８】
ステップＳ１０では、ＢＤドライブ５０の内部に光ディスク２００が未収容であるか否かが、第１制御部２１により検証され、検証の結果、未収容である場合（ステップＳ１０：ＹＥＳ）は、ステップＳ１１へ進み、未収容でない場合（ステップＳ１０：ＮＯ）は、本フローチャートを終了する。尚、詳細については、上述のステップＳ２と同様であるため、説明を省略する。
【００７９】
ステップＳ１１では、ステップＳ１０での検証結果に基づき、第１制御部２１の制御の下、第１発光部５４ａが発光（発光状態：ＯＮ）し、第２発光部５５ａが発光停止（発光状態：ＯＦＦ）となる。尚、詳細については、上述のステップＳ３と同様であるため、説明を省略する。
【００８０】
ステップ１２では、ＢＤドライブ５０に光ディスク２００が挿入されたことが検知された場合（ステップＳ１２：ＹＥＳ）は、ステップＳ１３へ進み、検知されない場合（ステップＳ１２：ＮＯ）は、本フローチャートを終了する。尚、詳細については、上述のステップＳ４と同様であるため、説明を省略する。
【００８１】
ステップＳ１３では、第２発光部５５ａの発光状態がＯＦＦからＯＮに切り替えられる。尚、詳細については、上述のステップＳ６と同様であるため、説明を省略する。
【００８２】
ステップＳ１４では、光ディスク２００のチャッキングが完了したか否かが、第１制御部２１により検証され、当該検証の結果、完了している場合（ステップＳ１４：ＹＥＳ）は、ステップＳ１５へ進み、完了していない場合（ステップＳ１４：ＮＯ）は、ステップＳ１４を再度実行するために、本ステップの直前に戻る。尚、詳細については、上述のステップＳ７と同様であるため、説明を省略する。
【００８３】
ステップＳ１５では、ステップＳ１４での検証結果に基づき、第１発光部５４ａの発光状態がＯＮからＯＦＦに切り替えられ、第２発光部５５ａの発光状態がＯＮからＯＦＦに切り替えられる。そして、ステップＳ１５終了後、本フローチャートを終了する。尚、詳細については、上述のステップＳ８と同様であるため、説明を省略する。
【００８４】
次に、光ディスク２００の排出制御方法について説明する。図５に示されるフローチャートのステップＳ２１において、ＢＤドライブ５０（図３）の内部に収容されている光ディスク２００（図３）を排出するための排出操作部５７（図２）が操作された場合（ステップＳ２１：ＹＥＳ）は、ステップＳ２２へ進み、排出操作部５７が操作されていない場合（ステップＳ２１：ＮＯ）は、本フローチャートを終了する。
【００８５】
ステップＳ２２では、第２発光部５５ａ（図３）の発光状態がＯＦＦからＯＮに切り替えられる。
【００８６】
詳しくは、図６の回路図を用いて説明する。ステップＳ２２では、第２発光部５５ａを発光（発光状態：ＯＮ）させるコントロール信号が、第１制御部２１から当該第２発光部５５ａに出力され、当該コントロール信号に基づき、スイッチングトランジスタＱ２が、ＯＮに切り替えられるため、ＬＥＤ２は、電源Ｖ４からの電力供給を受けて発光する。そして、ＬＥＤ２が出射した光は、フォトトランジスタＰＴ２で受光され、フォトトランジスタＰＴ２がＯＮとなる。これにより、排出制御用センサ５５（図２）がＯＮ状態となるため、ディスク排出制御の環境が整う。
【００８７】
ステップＳ２３では、第２受光部５５ｂにおける受光の有無が検証され、受光有りの場合（ステップＳ２３：ＹＥＳ）は、ステップＳ２４へ進み、受光無しの場合（ステップＳ２３：ＮＯ）は、ステップＳ２３を再度実行するために、本ステップの直前に戻る。
【００８８】
詳しくは、上述したように、ＢＤドライブ５０の内部から光ディスク２００を排出するための排出制御動作が完了した場合は、第１発光部５４ａから出射された光は、光ディスク２００によって遮られてしまうため、導光部６２ａを介して、第１受光部５４ｂに入射しないが、第２発光部５５ａから出射された光は、導光部６２ｂを介して、第２受光部５５ｂに入射する。このため、第２制御部５１により、第１受光部５４ｂ，第２受光部５５ｂにおける光の受光の有無を検知することにより、ステップＳ２１に基づく排出制御動作が完了したか否かを検証することが出来る。
【００８９】
ステップＳ２４では、ステップＳ２３での検証結果（排出制御動作完了）に基づき、第１発光部５４ａの発光状態がＯＦＦからＯＮに切り替えられ、第２発光部５５ａの発光状態がＯＮからＯＦＦに切り替えられる。そして、ステップＳ２４終了後、本フローチャートを終了する。
【００９０】
詳しくは、図６の回路図を用いて説明する。ステップＳ２４では、第１発光部５５ａを発光（発光状態：ＯＮ）させるコントロール信号が、第１制御部２１から当該第１発光部５４ａに出力され、当該コントロール信号に基づき、スイッチングトランジスタＱ１が、ＯＮに切り替えられるため、ＬＥＤ１は、電源Ｖ２からの電力供給を受けて発光する。
【００９１】
また、当該ステップＳ２４では、第２発光部５５ａを発光停止（発光状態：ＯＦＦ）させるコントロール信号が、第１制御部２１から当該第２発光部５５ａに出力され、当該コントロール信号に基づき、スイッチングトランジスタＱ２が、ＯＦＦに切り替えられるため、ＬＥＤ２は、電源Ｖ４からの電力供給停止により発光停止となる。
【００９２】
以上、図４および図５のフローチャートに基づいて、第１発光部５４ａおよび第２発光部５５ａの発光／発光停止を総括すると、図７に示す表７２のようになる。尚、当該表７２は、上述した記憶部３０（図２）に記憶されている。
【００９３】
図７の表７２において、電源部２９（図２）がスタンバイ状態であり、ＢＤドライブ５０（図３）の内部に光ディスク２００（図３）が収容されている場合、検知用センサ５４（図２）を構成する第１発光部５４ａは、発光を停止し、また、排出制御用センサ５５（図２）を構成する第２発光部５５ａは、発光を停止する。
【００９４】
電源部２９がスタンバイ状態であり、ＢＤドライブ５０の内部に光ディスク２００が収容されていない場合、検知用センサ５４を構成する第１発光部５４ａは発光し、また、排出制御用センサ５５を構成する第２発光部５５ａは、発光を停止する。
【００９５】
電源部２９がＯＮ状態であり、ＢＤドライブ５０の内部に光ディスク２００が収容されていない場合、検知用センサ５４を構成する第１発光部５４ａは発光し、また、排出制御用センサ５５を構成する第２発光部５５ａは、発光を停止する。
【００９６】
電源部２９がＯＮ状態であり、ＢＤドライブ５０の内部に光ディスク２００が収容されており、通常動作（例えば、記録／再生動作、動作停止）時である場合、検知用センサ５４を構成する第１発光部５４ａは、発光を停止し、また、排出制御用センサ５５を構成する第２発光部５５ａは、発光を停止する。
【００９７】
電源部２９がＯＮ状態であり、ＢＤドライブ５０の内部に光ディスク２００が収容されており、排出制御動作時である場合、検知用センサ５４を構成する第１発光部５４ａは、発光を停止し、また、排出制御用センサ５５を構成する第２発光部５５ａは、発光する。
【００９８】
このように、本実施形態においては、記憶部３０（図２）に記憶されている表７２（図７）に基づいて、ＢＤドライブ５０（図３）に光ディスク２００（図３）が挿入されたことを検知するための第１発光部５４ａと、ＢＤドライブ５０から光ディスク２００を排出するための排出制御動作が完了したことを検知するための第２発光部５５ａとを発光／発光停止するため、当該発光部（第１発光部５４ａ，第２発光部５５ａ）を複雑な制御を要さずに制御することが出来る。
【００９９】
また、いずれか一方、または、両方の発光部（第１発光部５４ａ，第２発光部５５ａ）が発光停止となるように、当該発光部（第１発光部５４ａ，第２発光部５５ａ）を制御するため、省電力を図ることが出来る。
【０１００】
本発明では、以上述べた以外にも種々の実施形態を採用することができる。例えば、上記実施形態では、スロットイン方式の光ディスク装置をＢＤドライブとしたが、これに限られず、ＤＶＤドライブ等としてもよい。
【０１０１】
また、上記実施形態では、光ディスク装置内蔵型機器をＢＤドライブ内蔵型テレビジョン受像機としたが、画面を備えたＤＶＤポータブルプレーヤとしてもよい。
【０１０２】
また、上記実施形態では、表示部２５をＬＣＤとしたが、これに限られず、ＰＤＰ（Plasma Display Panel）等の表示パネルを用いてもよい。その場合、適宜、バックライト部２６やインバータ回路２７を設けなくてもよい。
【０１０３】
さらに、上記実施形態では、第１発光部５４ａ，第２発光部５５ａから出射された光を導光部６２ａ，６２ｂによりそれぞれ導光させて、第１受光部５４ｂ，第２受光部５５ｂにそれぞれ入射させたが、これに限られず、導光部６２ａ，６２ｂの位置に、第１受光部５４ｂ，第２受光部５５ｂを配置して、直接光を入射させてもよい。
【図面の簡単な説明】
【０１０４】
【図１】本発明の実施形態であるＢＤドライブ内蔵型テレビジョン受像機の外観図である。
【図２】本発明の実施形態であるテレビジョン受像機の本体部の機能ブロックを示す図である。
【図３】本発明の実施形態であるＢＤドライブの機能ブロックを示す図である。
【図４】光ディスクの挿入検知方法に係るフローチャートを示した図である。
【図５】光ディスクの排出制御方法に係るフローチャートを示した図である。
【図６】本発明の実施形態であるＢＤドライブの一部を示した回路図である。
【図７】第１発光部および第２発光部の発光／発光停止を総括した表である。
【符号の説明】
【０１０５】
１０  本体部
２１  第１制御部
２９  電源部
３０  記憶部
５０  ＢＤドライブ
５１  第２制御部
５４  検知用センサ
５４ａ  第１発光部
５４ｂ  第１受光部
５５    排出制御用センサ
５５ａ  第２発光部
５５ｂ  第２受光部
１００  ＢＤドライブ内蔵型テレビジョン受像機
２００  光ディスク
【図１】
2010108527.tif 000003
【図２】
2010108527.tif 000004
【図３】
2010108527.tif 000005
【図４】
2010108527.tif 000006
【図５】
2010108527.tif 000007
【図６】
2010108527.tif 000008
【図７】
2010108527.tif 000009